(57)【要約】【課題】  蒸気の循環経路における組み立て誤差を容易に吸収し、圧損を低減する。【解決手段】  蒸気供給通路２３の直線部１０１,１０２をパイプで成る直管で構成する一方、屈曲部１０３には螺旋状のひだ１０４を形成して蛇腹状に構成し、フレキシブル性を持たせる。こうして、蒸気供給通路２３の組み立て誤差を容易に吸収することと、圧損を減少させることとの両立を図る。また、屈曲部１０３において、過熱蒸気をひだ１０４に沿って旋回しながら直線部１０２に向かって送り出すことによって、過熱蒸気の屈曲部１０３での圧損を低減すると共に、加熱室２０側を通る過熱蒸気を多くして熱損失を軽減する。【選択図】図５
2005344967.tif 000002
【特許請求の範囲】
【請求項１】
水を加熱蒸発させて蒸気を発生させる蒸気発生装置と、
上記蒸気発生装置からの蒸気を昇温して過熱蒸気を発生させる蒸気昇温装置と、
上記蒸気昇温装置からの過熱蒸気によって被加熱物を加熱する加熱室と、
上記加熱室の外側に設けられると共に、上記蒸気昇温装置からの過熱蒸気を上記加熱室に導く過熱蒸気供給路と、
を備えて、
上記過熱蒸気供給路は、上記加熱室に沿って配設された一体のパイプから成り、且つ、直管部と蛇腹状の屈曲部とを備えて、上記屈曲部は上記加熱室のコーナ近傍に配置されている
ことを特徴とする蒸気調理器。
【請求項２】
請求項１に記載の蒸気調理器において、
上記過熱蒸気供給路における上記蛇腹状の屈曲部は、螺旋状を成している
ことを特徴とする蒸気調理器。
【発明の詳細な説明】
【技術分野】
【０００１】
この発明は、蒸気調理器に関する。
【背景技術】
【０００２】
従来、蒸気を用いて食品などの被加熱物の加熱調理を行う蒸気調理器として、オーブン庫内に過熱蒸気を送り込むものがある(特開平８‐４９８５４号公報(特許文献１)参照)。この蒸気調理器は、ポット内に垂直平面に沿ってヒータを設けて蒸気を発生させる蒸気発生装置と、その蒸気発生装置により発生させた蒸気を加熱することにより過熱蒸気を生成する蒸気過熱器とを備え、蒸気過熱器で生成された過熱蒸気を循環風路によってオーブン庫内に送り込んで食品を調理する。
【０００３】
通常、上記循環風路としては、圧損を減らし、蒸気漏れを無くすために、パイプを用いる。しかしながら、上記循環風路にパイプを用いた場合には。フレキシブル性が無いため上記屈曲部での曲げ誤差を吸収することができず、パイプの取り付けが困難である。そこで、上記循環風路として、全体に蛇腹が形成されたフレキシブル管を用いる方法もある。しかしながら、フレキシブル管を用いた場合には、全体に渡って蛇腹が形成されているため、組み立て誤差を吸収するという点では有利であるが、圧損が増えるため分岐点では蒸気がスムーズに分岐することができないと言うという問題がある。
【特許文献１】特開平８‐４９８５４号公報
【発明の開示】
【発明が解決しようとする課題】
【０００４】
そこで、この発明の課題は、蒸気の循環経路における組み立て誤差を容易に吸収すると共に、圧損を低減できる蒸気調理器を提供することにある。
【課題を解決するための手段】
【０００５】
上記課題を解決するため、この発明の蒸気調理器は、
水を加熱蒸発させて蒸気を発生させる蒸気発生装置と、
上記蒸気発生装置からの蒸気を昇温して過熱蒸気を発生させる蒸気昇温装置と、
上記蒸気昇温装置からの過熱蒸気によって被加熱物を加熱する加熱室と、
上記加熱室の外側に設けられると共に、上記蒸気昇温装置からの過熱蒸気を上記加熱室に導く過熱蒸気供給路と、
を備えて、
上記過熱蒸気供給路は、上記加熱室に沿って配設された一体のパイプから成り、且つ、直管部と蛇腹状の屈曲部とを備えて、上記屈曲部は上記加熱室のコーナ近傍に配置されている
ことを特徴としている。
【０００６】
上記構成によれば、上記過熱蒸気供給路を一体のパイプで構成し、且つ、一部分を構成する屈曲部をフレキシブル性を有する蛇腹状に成している。したがって、上記過熱蒸気供給路における組み立て誤差を容易に吸収することと、上記過熱蒸気供給路内での圧損を減少させることとの両立を図ることができる。さらに、上記過熱蒸気供給路は、一体のパイプで構成されている。したがって、上記直管部と蛇腹状の屈曲部との境界での圧損も軽減できる。
【０００７】
また、１実施の形態の蒸気調理器では、
上記過熱蒸気供給路における上記蛇腹状の屈曲部は、螺旋状を成している。
【０００８】
この実施の形態によれば、上記過熱蒸気供給路の屈曲部に入った過熱蒸気は、上記蛇腹を構成する螺旋状のひだに沿って旋回しながら進むことになる。したがって、単に環状のひだとした場合よりも過熱蒸気の上記屈曲部での圧損を低減することができる。さらに、上記屈曲部を通過する際における過熱蒸気の外側(反加熱室側)への偏りを少なくし、上記加熱室側を流れる過熱蒸気の量を多くし、上記加熱室からの輻射熱の供給を多くできる。したがって、熱の損失を軽減することができる。
【発明の効果】
【０００９】
以上より明らかなように、この発明の蒸気調理器は、過熱蒸気供給路を一体のパイプで構成し、且つ、一部分を構成する屈曲部をフレキシブル性を有する蛇腹状に成したので、上記過熱蒸気供給路の組み立て誤差を容易に吸収することと、上記過熱蒸気供給路内での圧損を減少させることとの両立を図ることができる。さらに、上記過熱蒸気供給路を一体のパイプで構成したので、上記直管部と蛇腹状の屈曲部との境界での圧損も軽減できる。
【００１０】
また、上記蛇腹状の屈曲部における上記蛇腹を構成するひだを螺旋状に形成すれば、単に環状のひだとした場合よりも過熱蒸気の上記屈曲部での圧損を低減することができる。さらに、上記屈曲部を通過する際における過熱蒸気の外側(反加熱室側)への偏りを少なくし、上記加熱室側を流れる過熱蒸気の量を多くして、上記加熱室からの輻射熱の供給を多くできる。したがって、熱の損失を軽減することができる。
【発明を実施するための最良の形態】
【００１１】
以下、この発明を図示の実施の形態により詳細に説明する。図１は、本実施の形態の蒸気調理器における外観斜視図である。本蒸気調理器１は、直方体形状のキャビネット１０の正面の上部に操作パネル１１を設け、キャビネット１０の正面における操作パネル１１の下側には、下端側の辺を中心に回動する扉１２を設けて概略構成されている。そして、扉１２の上部にはハンドル１３が設けられ、扉１２には耐熱ガラス製の窓１４が嵌め込まれている。
【００１２】
図２は、上記蒸気調理器１の扉１２を開いた状態の外観斜視図である。キャビネット１０内に、直方体形状の加熱室２０が設けられている。加熱室２０は、扉１２に面する正面側に開口部２０aを有し、加熱室２０の側面,底面および天面がステンレス鋼板で形成されている。また、扉１２は、加熱室２０に面する側がステンレス鋼板で形成されている。加熱室２０の周囲および扉１２の内側に断熱材(図示せず)が載置されており、加熱室２０内と外部とが断熱されている。
【００１３】
また、上記加熱室２０の底面には、ステンレス製の受皿２１が設置され、受皿２１上には、被加熱物を載置するためのステンレス鋼線製のラック２４(図３参照)が設置される。さらに、加熱室２０の両側面下部には、略水平に延在する略長方形の側面蒸気吹出口２２(図２では一方のみが見えている)が設けられている。
【００１４】
図３は、上記蒸気調理器１の基本構成を示す概略構成図である。図３に示すように、本蒸気調理器１は、加熱室２０と、蒸気用の水を貯める水タンク３０と、水タンク３０から供給された水を蒸発させて蒸気を発生させる蒸気発生装置４０と、蒸気発生装置４０からの蒸気を加熱する蒸気昇温装置５０と、蒸気発生装置４０や蒸気昇温装置５０等の動作を制御する制御装置８０とを備えている。
【００１５】
上記加熱室２０内に設置された受皿２１上には格子状のラック２４が載置され、そのラック２４の略中央に被加熱物９０が置かれる。
【００１６】
また、上記水タンク３０の下側に設けられた接続部３０aは、第１給水パイプ３１の一端に設けられた漏斗形状の受入口３１aに接続可能になっている。そして、第１給水パイプ３１から分岐して上方に延びる第２給水パイプ３２の端部にはポンプ３５の吸込側が接続され、そのポンプ３５の吐出側には第３給水パイプ３３の一端が接続されている。さらに、第１給水パイプ３１から分岐して上方に延びる水位センサ用パイプ３８の上端には、水タンク用水位センサ３６が配設されている。さらに、第１給水パイプ３１から分岐して上方に延びる大気開放用パイプ３７の上端には、後述する排気ダクト６５に接続されている。
【００１７】
そして、上記第３給水パイプ３３は、垂直に配置された部分から略水平に屈曲するＬ字形状をしており、第３給水パイプ３３の他端には補助タンク３９が接続されている。さらに、補助タンク３９の下端には第４給水パイプ３４の一端が接続され、その第４給水パイプ３４の他端には蒸気発生装置４０の下端が接続されている。また、蒸気発生装置４０における第４給水パイプ３４の接続点よりも下側には、排水バルブ７０の一端が接続されている。そして、排水バルブ７０の他端には排水パイプ７１の一端が接続され、排水パイプ７１の他端には排水タンク７２が接続されている。尚、補助タンク３９の上部は、大気開放用パイプ３７と排気ダクト６５を介して大気に連通されている。
【００１８】
上記水タンク３０が第１給水パイプ３１の受入口３１aに接続されると、水タンク３０内の水は、水タンク３０と同水位になるまで大気開放用パイプ３７内に上昇する。その際に、水タンク用水位センサ３６につながる水位センサ用パイプ３８は先端が密閉されているため水位は上がらないが、水タンク３０の水位に応じて水位センサ用パイプ３８の密閉された空間の圧力は大気圧から上昇する。この圧力変化を、水タンク用水位センサ３６内の圧力検出素子(図示せず)で検出することによって、水タンク３０内の水位が検出されるようになっている。ポンプ３５が静止中である際の水位測定では、大気開放用パイプ３７は不要であるが、ポンプ３５の吸引圧力が直接上記圧力検出素子に働いて水タンク３０の水位検出の精度が低下するのを防止するために、開放端を有する大気開放用パイプ３７を設けている。
【００１９】
また、上記蒸気発生装置４０は、下側に第４給水パイプ３４の他端が接続されたポット４１と、ポット４１内の底面近傍に配置された蒸気発生ヒータ４２と、ポット４１内の蒸気発生ヒータ４２の上側近傍に配置された水位センサ４３と、ポット４１の上側に取り付けられた蒸気吸引エジェクタ４４とを有している。また、加熱室２０の側面上部に設けられた吸込口２５の外側には、ファンケーシング２６を配置している。そして、ファンケーシング２６に設置された送風ファン２８によって、加熱室２０内の蒸気は、吸込口２５から吸い込まれて、第１パイプ６１および第２パイプ６２を介して蒸気発生装置４０の蒸気吸引エジェクタ４４の入口側に送り込まれる。第１パイプ６１は、略水平に配置されており、一端がファンケーシング２６に接続されている。また、第２パイプ６２は、略垂直に配置されており、一端が第１パイプ６１の他端に接続される一方、他端が蒸気吸引エジェクタ４４のインナーノズル４５の入口側に接続されている。
【００２０】
上記蒸気吸引エジェクタ４４は、インナーノズル４５の外側を包み込むアウターノズル４６を備えており、インナーノズル４５の吐出側がポット４１の内部空間と連通するようになっている。そして、蒸気吸引エジェクタ４４のアウターノズル４６の吐出側には第３パイプ６３の一端が接続され、その第３パイプ６３の他端には蒸気昇温装置５０が接続されている。
【００２１】
上記ファンケーシング２６,第１パイプ６１,第２パイプ６２,蒸気吸引エジェクタ４４,第３パイプ６３および蒸気昇温装置５０で外部循環路６０を形成している。また、加熱室２０の側面の下側に設けられた放出口２７には放出通路６４の一端が接続され、放出通路６４の他端には排気ダクト６５の一端が接続されている。さらに、排気ダクト６５の他端には排気口６６が設けられている。蒸気放出通路６４の排気ダクト６５側には、ラジエータ６９が外嵌して取り付けられいる。そして、外部循環路６０を形成する第１パイプ６１,第２パイプ６２との接続部には、排気通路６７を介して排気ダクト６５が接続されている。さらに、排気通路６７における第１,第２パイプ６１,６２の接続側には、排気通路６７を開閉するダンパ６８が配置されている。
【００２２】
また、上記蒸気昇温装置５０は、加熱室２０の天井側であって且つ略中央に、開口を下側にして配置された皿型ケース５１と、この皿型ケース５１内に配置された第１蒸気加熱ヒータ５２と、皿型ケース５１内に配置された第２蒸気加熱ヒータ５３とを有している。皿型ケース５１の底面は、加熱室２０の天井面に設けられた金属製の天井パネル５４で形成されている。天井パネル５４には、複数の天井蒸気吹出口５５が形成されている。ここで、天井パネル５４は、上下両面が塗装等によって暗色に仕上げられている。尚、使用を重ねることにより暗色に変色する金属素材や暗色のセラミック成型品によって、天井パネル５４を形成してもよい。
【００２３】
さらに、上記蒸気昇温装置５０は、加熱室２０の上部に、左右両側に向かって延在する上記過熱蒸気供給路としての蒸気供給通路２３(図３においては一方のみが見えている)の一端が夫々接続されている。そして、蒸気供給通路２３は加熱室２０の両側面に沿って下方向かって延在しており、その他端には、上記加熱室２０の両側面下側に設けられた側面蒸気吹出口２２に接続されている。
【００２４】
次に、本蒸気調理器１の制御系について説明する。
【００２５】
制御装置８０は、マイクロコンピュータおよび入出力回路等から構成され、図４に示すように、送風ファン２８と、第１蒸気加熱ヒータ５２と、第２蒸気加熱ヒータ５３と、ダンパ６８と、排水バルブ７０と、蒸気発生ヒータ４２と、操作パネル１１と、水タンク用水位センサ３６と、水位センサ４３と、加熱室２０(図３に示す)内の温度を検出する温度センサ８１と、加熱室２０内の湿度を検出する湿度センサ８２と、ポンプ３５とが、接続されている。そして、水タンク用水位センサ３６,水位センサ４３,温度センサ８１および湿度センサ８２からの検出信号に基づいて、送風ファン２８, 第１蒸気加熱ヒータ５２,第２蒸気加熱ヒータ５３,ダンパ６８,排水バルブ７０,蒸気発生ヒータ４２,操作パネル１１およびポンプ３５を所定のプログラムに従って制御する。
【００２６】
以下、上記構成を有する蒸気調理器１の動作について、図３および図４に従って説明する。操作パネル１１の電源スイッチ(図示せず)が押圧されると電源がオンし、操作パネル１１の操作によって加熱調理の運転が開始される。そうすると、先ず、制御装置８０は、排水バルブ７０を閉鎖し、ダンパ６８によって排気通路６７を閉じた状態でポンプ３５の運転を開始する。そして、ポンプ３５によって、水タンク３０から蒸気発生装置４０のポット４１内に第１〜第４給水パイプ３１〜３４を介して給水される。その後、ポット４１内の水位が所定水位に達したことを水位センサ４３が検出すると、ポンプ３５を停止して給水を止める。
【００２７】
次に、上記蒸気発生ヒータ４２に通電し、ポット４１内に溜まった所定量の水を蒸気発生ヒータ４２によって加熱する。
【００２８】
そして、上記蒸気発生ヒータ４２の通電と同時に、または、ポット４１内の水の温度が所定温度に達すると、送風ファン２８をオンすると共に、蒸気昇温装置５０の第１,第２蒸気加熱ヒータ５２,５３に通電する。そうすると、送風ファン２８は、加熱室２０内の空気(蒸気を含む)を吸込口２５から吸い込み、外部循環路６０に空気(蒸気を含む)を送り出す。その際に、送風ファン２８に遠心ファンを用いているので、プロペラファンを用いる場合に比べて高圧を発生させることができる。さらに、送風ファン２８に用いる遠心ファンを直流モータで高速回転させることによって、循環気流の流速を極めて速くすることができる。
【００２９】
次に、上記蒸気発生装置４０のポット４１内の水が沸騰すると飽和蒸気が発生し、発生した飽和蒸気は、蒸気吸引エジェクタ４４の箇所で外部循環路６０を通る循環気流に合流する。そして、蒸気吸引エジェクタ４４から出た蒸気は、第３パイプ６３を介して高速で蒸気昇温装置５０に流入する。
【００３０】
そして、上記蒸気昇温装置５０に流入した蒸気は、第１,第２蒸気加熱ヒータ５２,５３によって加熱されて、略３００℃(調理内容により異なる)の過熱蒸気となる。この過熱蒸気の一部は、下側の天井パネル５４に設けられた複数の天井蒸気吹出口５５から加熱室２０内の下方に向かって噴出される。また、過熱蒸気の他の一部は、蒸気昇温装置５０の左右両側に設けられた蒸気供給通路２３を介して、加熱室２０の両側面の側面蒸気吹出口２２から噴出される。
【００３１】
こうして、上記加熱室２０の天井側から噴出した過熱蒸気が中央の被加熱物９０側に向かって勢いよく供給されると共に、加熱室２０の左右の側面側から噴出した過熱蒸気は、受皿２１に衝突した後、被加熱物９０の下方から被加熱物９０を包むように上昇しながら供給される。その結果、加熱室２０内において、中央部では吹き下ろし、その外側では上昇するという形の対流が生じる。そして、対流する蒸気は、順次吸込口２５に吸い込まれて、外部循環路６０を通って再び加熱室２０内に戻るという循環を繰り返す。
【００３２】
このようにして、上記加熱室２０内で過熱蒸気の対流を形成することにより、加熱室２０内の温度・湿度分布を均一に維持しつつ、蒸気昇温装置５０からの過熱蒸気を天井蒸気吹出口５５と側面吹出口２２とから噴出して、ラック２４上に載置された被加熱物９０に効率よく衝突させることが可能になる。こうして、過熱蒸気の衝突によって被加熱物９０を加熱する。その場合、被加熱物９０の表面に接触した過熱蒸気は、被加熱物９０の表面で結露する際に潜熱を放出することによっても被加熱物９０を加熱する。これにより、過熱蒸気の大量の熱を確実に且つ速やかに被加熱物９０全面に均等に与えることができる。したがって、斑がなくて仕上がりのよい加熱調理を実現することができるのである。
【００３３】
また、上記加熱調理運転時において、時間が経過すると、加熱室２０内の蒸気量が増加し、量的に余剰となった分の蒸気は、放出口２７から放出通路６４および排気ダクト６５を介して排気口６６から外部に放出される。その際に、放出通路６４に設けたラジエータ６９によって放出通路６４を通過する蒸気を冷却して結露させることにより、外部に蒸気がそのまま放出されるのを防止している。尚、ラジエータ６９によって放出通路６４内で結露した水は、放出通路６４内を流れ落ちて受皿２１に導かれ、調理によって発生した水と共に調理終了後に処理される。
【００３４】
調理終了後、上記制御装置８０によって操作パネル１１に調理終了のメッセージが表示され、さらに操作パネル１１に設けられたブザー(図示せず)によって合図の音を鳴らす。これらのメッセージやブザーによって調理終了を知った使用者が扉１２を開けると、制御装置８０は、センサ(図示せず)によって扉１２が開いたことを検知して、排気通路６７のダンパ６８を瞬時に開く。そうすると、外部循環路６０の第１パイプ６１が排気通路６７を介して排気ダクト６５に連通し、加熱室２０内の蒸気は、送風ファン２８によって、吸込口２５,第１パイプ６１,排気通路６７および排気ダクト６５を介して排気口６６から排出される。このダンパ動作は、調理中に使用者が扉１２を開いても同様に機能する。したがって、使用者は、蒸気にさらされることなく、安全に被加熱物９０を加熱室２０内から取り出すことができるのである。
【００３５】
ところで、本実施の形態においては、図５および図６に示すように、蒸気昇温装置５０で加熱された過熱蒸気を加熱室２０の両側面下側に設けられた側面蒸気吹出口２２に導く蒸気供給通路２３を、加熱室２０に沿って配設された一体のパイプで形成している。そして、蒸気供給通路２３の直線部１０１,１０２を直管で構成する一方、屈曲部１０３には螺旋状のひだ１０４が形成されて蛇腹状に構成されている。したがって、屈曲部１０３はフレキシブル性を有している。尚、図５は正面図であり、図６は平面図である。
【００３６】
このように、上記蒸気供給通路２３一体のパイプで形成し、且つ、一部分を構成する屈曲部１０３を螺旋状のひだ１０４が形成されたフレキシブル管で形成することによって、組み立て誤差を容易に吸収することと、蒸気供給通路２３内での圧損を減少させることとの両立を図ることができるのである。
【００３７】
さらに、上記蒸気供給通路２３の屈曲部１０３を構成するフレキシブル管には、環状のひだではなく、螺旋状のひだ１０４を設けている。したがって、蒸気供給通路２３の直線部１０１における外周部を通ってきた蒸気昇温装置５０からの過熱蒸気は、屈曲部１０３のひだ１０４の箇所に進入し、螺旋状のひだ１０４に沿って旋回しながら直線部１０２に向かって進むことになる。したがって、単に環状のひだとする場合よりも過熱蒸気の屈曲部１０３での圧損を低減することができるのである。また、直線部１０１,１０２と屈曲部１０３とは一体のパイプで形成されているので、直線部１０１,１０２と屈曲部１０３との境界には継ぎ目による段差が無い。したがって、上記境界での圧損を低減することができる。
【００３８】
また、上記蒸気供給通路２３の屈曲部１０３を断面円形のパイプをそのまま曲げて構成した場合には、蒸気昇温装置５０から蒸気供給通路２３の直線部１０１を通ってきた過熱蒸気は、遠心力によって屈曲部１０３の外側(高温の加熱室２０とは反対側)に偏って通過する。したがって、過熱蒸気の熱が上記外側に逃げることになる。しかしながら、本実施の形態においては、屈曲部１０３には螺旋状のひだ１０４を設けて、外周部の過熱蒸気をひだ１０４に沿って旋回させる一方、中心部の過熱蒸気を上記旋回流の内部を通過させるようにしている。したがって、パイプをそのまま曲げて屈曲部１０３を構成した場合に比して高温の加熱室２０側(つまり内側)を通る過熱蒸気が多くなり、加熱室２０からの輻射熱の供給を多くできる。その結果、熱の損失を軽減することができるのである。
【００３９】
以上のごとく、本実施の形態においては、上記蒸気供給通路２３の直線部１０１,１０２を直管で構成する一方、屈曲部１０３には螺旋状のひだ１０４を形成してフレキシブル性を持たせている。したがって、組み立て誤差を容易に吸収することと、圧損を減少させることとの両立を図ることができる。また、屈曲部１０３においては、過熱蒸気をひだ１０４に沿って旋回しながら直線部１０２に向かって送り出すことによって、過熱蒸気の屈曲部１０３での圧損を低減できると共に、加熱室２０側を通る過熱蒸気量を多くして、熱損失を軽減できるのである。
【００４０】
尚、上記実施の形態においては、上記屈曲部１０３には螺旋状のひだ１０４を設けているが、この発明はこれに限定されるものではなく、環状のひだを設けても差し支えない。但し、その場合には、上述したように、屈曲部１０３での圧損と熱損失とにおいて不利になる。
【図面の簡単な説明】
【００４１】
【図１】この発明の蒸気調理器における外観斜視図である。
【図２】図１に示す蒸気調理器の扉を開いた状態の外観斜視図である。
【図３】図１に示す蒸気調理器の概略構成図である。
【図４】図１に示す蒸気調理器の制御ブロック図である。
【図５】図３における蒸気供給通路の形状を示す正面図である。
【図６】図３における蒸気供給通路の形状を示す平面図である。
【符号の説明】
【００４２】
１…蒸気調理装置、
１１…操作パネル、
２０…加熱室、
２３…蒸気供給通路、
３０…水タンク、
３５…ポンプ、
４０…蒸気発生装置、
４４…蒸気吸引エジェクタ、
５０…蒸気昇温装置、
８０…制御装置、
１０１,１０２…直線部、
１０３…屈曲部、
１０４…螺旋状のひだ。
【図１】
2005344967.tif 000003
【図２】
2005344967.tif 000004
【図３】
2005344967.tif 000005
【図４】
2005344967.tif 000006
【図５】
2005344967.tif 000007
【図６】
2005344967.tif 000008